(57)【要約】【課題】  治具の管理の手間を削減すると共に持ち帰りの手間を省くことが可能な固定具を提供することである。【解決手段】  装置を固定する固定具であって、第１の部分と該第１の部分に直交する第２の部分とからなるように平板をＬ字形状に屈曲されて構成され、該第１の部分には、装置に固定具を固定する締結部品が挿入される装置側貫通穴が複数形成されると共に、該第２の部分には装置が載置される載置面に固定具を固定する締結部品が挿入される載置面側貫通穴が形成され、該第１の部分と該第２の部分の何れかに固定具が固定された加工装置をつり上げるつり上げ具が挿入されるつり上げ具用貫通穴が形成されていることを特徴とする。【選択図】図４
2018016351.tif 000002
【特許請求の範囲】
【請求項１】
装置を固定する固定具であって、
第１の部分と該第１の部分に直交する第２の部分とからなるように平板をＬ字形状に屈曲されて構成され、
該第１の部分には、装置に固定具を固定する締結部品が挿入される装置側貫通穴が複数形成されると共に、該第２の部分には装置が載置される載置面に固定具を固定する締結部品が挿入される載置面側貫通穴が形成され、
該第１の部分と該第２の部分の何れかに固定具が固定された加工装置をつり上げるつり上げ具が挿入されるつり上げ具用貫通穴が形成されていることを特徴とする固定具。
【請求項２】
該つり上げ具用貫通穴は、該載置面側貫通穴で兼用される請求項１記載の固定具。
【発明の詳細な説明】
【技術分野】
【０００１】
本発明は、切削装置、研削装置等の加工装置を固定する固定具に関する。
【背景技術】
【０００２】
従来、加工装置の移設時には、加工装置をつり上げるために加工装置の骨組みに骨材を挿入し、挿入した骨材に接続されたつり上げリングにフック等を掛けてつり上げている。また、加工装置の輸送時には、金属製や木製のパレット上に加工装置を固定し、梱包して加工装置を輸送している（例えば、特開２０１１−１８９９５９号公報参照）。
【０００３】
更に、加工装置を所定の位置に載置（設置）した後は、地震等の発生時に転倒防止のために載置面にアンカーボルトを打ち込み、加工装置に固定したアンカー金具を載置面に打ち込んだアンカーボルトに固定したり、例えば、特開２００８−１８３２０１号公報に開示されているような固定金具で固定している。
【先行技術文献】
【特許文献】
【０００４】
【特許文献１】特開２０１１−１８９９５９号公報
【特許文献２】特開２００８−１８３２０１号公報
【発明の概要】
【発明が解決しようとする課題】
【０００５】
従来の加工装置の固定形態では、加工装置輸送時の固定治具、加工装置の転倒防止のための固定治具と複数の固定治具を必要としており、固定治具の管理が手間であるという問題があった。また、加工装置のつり上げ用や輸送時の固定治具は、使用後回収して作業者が持ち帰る必要があり、手間を要していた。
【０００６】
本発明はこのような点に鑑みてなされたものであり、その目的とするところは、治具の管理の手間を削減すると共に持ち帰りの手間を省くことが可能な固定具を提供することである。
【課題を解決するための手段】
【０００７】
本発明によると、装置を固定する固定具であって、第１の部分と該第１の部分に直交する第２の部分とからなるように平板をＬ字形状に屈曲されて構成され、該第１の部分には、装置に固定具を固定する締結部品が挿入される装置側貫通穴が複数形成されると共に、該第２の部分には装置が載置される載置面に固定具を固定する締結部品が挿入される載置面側貫通穴が形成され、該第１の部分と該第２の部分の何れかに固定具が固定された加工装置をつり上げるつり上げ具が挿入されるつり上げ具用貫通穴が形成されていることを特徴とする固定具が提供される。
【０００８】
好ましくは、つり上げ用貫通穴は載置面側貫通穴で兼用される。
【発明の効果】
【０００９】
本発明の固定具は、つり上げ用治具、輸送時の固定治具、転倒防止用の固定治具を兼用できるため、治具の管理の手間を削減できると共に持ち帰りの手間を省くことができる。
【図面の簡単な説明】
【００１０】
【図１】第１実施形態の固定具の斜視図である。
【図２】第１実施形態の固定具を使用した加工装置つり上げ時の斜視図である。
【図３】第１実施形態の固定具を使用した載置面への加工装置固定時の斜視図である。
【図４】第２実施形態の固定具の斜視図である。
【図５】第２実施形態の固定具を使用した加工装置つり上げ時の斜視図である。
【図６】第２実施形態の固定具を使用した載置面への加工装置固定時の斜視図である。
【発明を実施するための形態】
【００１１】
以下、本発明の実施形態を図面を参照して詳細に説明する。図１を参照すると、本発明第１実施形態の固定具２の斜視図が示されている。固定具２はＳＵＳ等の金属から形成されており、第１の部分４と、第１の部分４に対して直交する第２の部分６とからなり、平板をＬ字形状に折り曲げて形成されている。
【００１２】
固定具２の第１の部分４には、加工装置に固定具２を固定する締結部品が挿入される装置側貫通穴７が複数（本実施形態では２個）形成されている。固定具２の第２の部分６には、加工装置が載置（設置）される載置面（設置面）に固定具２を固定する締結部品が挿入される載置面側貫通穴９が形成されている。本実施形態では、載置面側貫通穴９はつり上げ用貫通穴としても使用される。即ち、本実施形態では、つり上げ用貫通穴９は、載置面側貫通穴９で兼用される。
【００１３】
図２を参照すると、固定具２を使用した加工装置つり上げ時の斜視図が示されている。加工装置の骨組み１０の下端部の四隅には固定具２の第１の部分４に形成された２個の装置側貫通穴７に対応する位置に２個の貫通穴が形成されており、ボルト１２を固定具２の装置側貫通穴７及び骨組み１０の貫通穴に挿入し、ナット１４をボルト１２に締結することにより、固定具２が加工装置の骨組み１０に固定される。本実施形態では、ボルト１２及びナット１４で締結部品を構成する。
【００１４】
固定具２を骨組み１０の下端部四隅に固定した後、固定具２の第２の部分６に形成されたつり上げ用貫通穴としても機能する載置面側貫通穴９にワイヤー１８を挿通し、ワイヤー１８の上端部を図示を省略したクレーンのフック２０に引っ掛ける。これにより、固定具２を使用して加工装置をクレーンでつり上げることができる。加工装置の骨組み１０の下端には４個のキャスター２２が取り付けられている。
【００１５】
図３を参照すると、加工装置をクレーン等でつり上げた後他の設置場所に移設して、加工装置を載置面である床２４に固定した状態の斜視図が示されている。加工装置の骨組み１０の下端部の四隅には、固定具２の第１の部分４を立てた状態での、装置側貫通穴７に対応する位置に２個の貫通穴が形成されている。従って、骨組み１０の下端部四隅には、垂直方向に２個及び水平方向に２個の貫通穴が形成されている。
【００１６】
固定具２の第１の部分４を立てて装置側貫通穴７及び骨組み１０の貫通穴にボルト１２を挿入し、ナット１４を締結することにより、固定具２は加工装置の骨組み１０に固定される。４個の固定具２を骨組み１０に固定した後、アンカーボルト２６を固定具２の第２の部分６に形成された載置面側貫通穴９に挿入して床２４にアンカーボルト２６を打ち込むことにより、加工装置が載置面である床２４に固定される。
【００１７】
加工装置輸送時の固定も、図３に示す床２４への固定と同様に行うことができる。本実施形態の固定具２によると、固定具２でつり上げ用治具、輸送時の固定治具、転倒防止用の固定治具を兼用できるため、治具の管理の手間を削減できると共に固定具２を持ち帰る必要がないため、持ち帰りの手間を省くことができる。
【００１８】
図４を参照すると、本発明第２実施形態に固定具３２の斜視図が示されている。固定具３２はＳＵＳ等の金属から形成され、第１の部分３６と、第１の部分３６に直交する第２の部分３８とから構成されるように、平板をＬ字形状に折り曲げて構成されている。
【００１９】
第１の部分３４には、２個の装置側貫通穴３７と１個のつり上げ用貫通穴３８が形成されており、第２の部分３６には、１個の載置面側貫通穴３９が形成されている。
【００２０】
図５を参照すると、第２実施形態の固定具３２を使用した加工装置つり上げ時の斜視図が示されている。固定具３２の装置側貫通穴３７にボルト１２を挿入することにより、ボルト１２及びナット１４とからなる締結部品１６で固定具３２を加工装置の骨組み１０の下端部四隅に固定する。
【００２１】
そして、ワイヤー１８をつり上げ用貫通穴３８に通して、その上端部をクレーンのフック２０に引っ掛ける。これにより、図示しないクレーンで加工装置をつり上げることができる。
【００２２】
図６を参照すると、第２実施形態の固定具３６を使用した加工装置の固定状態の斜視図が示されている。本実施形態の固定具３２では、固定具３２の骨組み１０への装着状態を何ら変更することなく、固定具３２の第２の部分３６を載置面である床２４上に載置し、アンカーボルト２６を載置面側貫通穴３９を通して床２４に打ち込むことにより、加工装置を固定することができる。加工装置輸送時の固定も、装置設置時の固定と同様である。
【００２３】
本実施形態の固定具３２では、固定具３２の第１の部分３４に２個の装置側貫通穴３７と１個のつり上げ用貫通穴３８が形成され、第２の部分３６に載置面側貫通穴３９が形成されているため、固定具３６の加工装置の骨組み１０への固定状態を何ら変更せずに、固定具３６を使用して加工装置をつり上げることができると共に、加工装置を所定の場所に移設した後、加工装置を床２４に固定することができる。
【符号の説明】
【００２４】
２，３２    固定具
４，３４    第１の部分
７，３７    装置側貫通穴
３８    つり上げ用貫通穴
９，３９    載置面側貫通穴
１０    骨組み
１２    ボルト
１４    ナット
１６    締結部品
１８    ワイヤー
２０    フック
２４    床
２６    アンカーボルト
【図１】
2018016351.tif 000003
【図２】
2018016351.tif 000004
【図３】
2018016351.tif 000005
【図４】
2018016351.tif 000006
【図５】
2018016351.tif 000007
【図６】
2018016351.tif 000008